(57)【要約】水平命綱ケーブル（４）用支持ブラケットアセンブリは、ベース板（１４）と、ブラケット手段（２４）と、ケーブル用保持手段（２８）とを包含する。ベース板（１４）は、構造物（６）に取り付けるために設けられる。ブラケット手段（２４）は、ベース板（１４）に取り付けられ、このベース板に関して摩擦制止されているが枢動できるようにされている。ケーブル用保持手段（２８）は、ブラケット手段（２４）に取り付けられている。この構成において、ケーブル（４）の動荷重はブラケット手段（２４）の、摩擦制止に抗しての第１の位置（３６）から第２の位置（３８）への枢動を生じせしめる。
2004522478.tif 000002
【特許請求の範囲】
【請求項１】
水平命綱ケーブル（４）用支持ブラケットアセンブリにおいて、構造物（６）に取り付けるベース板（１４）と、前記ベース板に取り付けられ、このベース板に関して摩擦制止されているが枢動できるブラケット手段（２４）と、前記ケーブル（４）を前記ブラケット手段（２４）に取り付けるケーブル用保持手段（２８，４０）とを包含し、前記ケーブル（４）の動荷重が前記ブラケット手段（２４）の、摩擦制止に抗して第１の位置（３６）から第２の位置（３８）への枢動を生じせしめることを特徴とするアセンブリ。
【請求項２】
請求項１記載のアセンブリにおいて、前記ケーブル用保持手段（２８，４０）がばね式機構（３２，３４）の手段により前記ブラケット手段（２４）に取り付けられ、前記ケーブル（４）の動荷重が前記ケーブル用保持手段（２８，４０）を前記ばね式機構（３２，３４）のばね力に抗して前記第２の位置に引張ることを特徴とするアセンブリ。
【請求項３】
請求項２記載のアセンブリにおいて、前記ケーブル用保持手段（２８，４０）がナットとボルト（３２）とのアセンブリ及び圧縮ばね（３４）の手段により前記ブラケット手段（２４）に取り付けられていることを特徴とするアセンブリ。
【請求項４】
請求項１〜３のいずれか一項に記載のアセンブリにおいて、前記ブラケット手段（２４）が、前記第１の位置では前記ベース板（１４）上で実質的に直立し、そして前記第２の位置では前記ベース板（１４）に関して実質的に横に位置することを特徴とするアセンブリ。
【請求項５】
請求項１〜４のいずれか一項に記載のアセンブリにおいて、前記ベース板（１４）に前記ブラケット手段（２４）の下に横たわる横クロス部材（２０）が設けられていることを特徴とするアセンブリ。
【請求項６】
請求項５記載のアセンブリにおいて、前記ブラケット手段（２４）が前記第２の位置（３８）で前記クロス部材（２０）と接触して位置させられることを特徴とするアセンブリ。
【請求項７】
請求項１〜６のいずれか一項に記載のアセンブリにおいて、前記ベース板（１４）に一対の直立するラグ（２２）が設けられ、これらのラグ（２２）に前記ブラケット手段（２４）が取り付けられていることを特徴とするアセンブリ。
【請求項８】
請求項１〜７のいずれか一項に記載のアセンブリにおいて、前記ブラケット手段（２４）がひとつ又はそれ以上の摩擦ワッシャを組み込んでいる一対のナット及びボルトアセンブリ（２６）の手段により前記ベース板（１４）に取り付けられていることを特徴とするアセンブリ。
【請求項９】
請求項１〜８のいずれか一項に記載のアセンブリにおいて、前記ケーブル用保持手段（２８）が端ブラケット（３０）であり、この端ブラケット（３０）に前記ケーブル（４）の端部が取付け可能であることを特徴とするアセンブリ。
【請求項１０】
請求項１〜８のいずれか一項に記載のアセンブリにおいて、前記ケーブル用保持手段（４０）が前記ケーブル（４）の両端間の中間で前記ケーブル（４）を支持する中間ブラケットアセンブリであることを特徴とするアセンブリ。
【請求項１１】
請求項１０記載のアセンブリにおいて、前記中間ブラケットアセンブリ（４０）が、動荷重吸収手段を組み込み、前記ブラケット手段（２４）に取り付けられているベース手段（４２）と、第１の端（５２）及び第２の端（６４）を有し、前記第１の端（５２）にはこの第１の端を前記ベース手段（４２）に枢動可能に取り付ける手段（５６）が設けられていると共に、前記第２の端（６４）が前記ケーブル（４）を受け入れるようにしているアーム手段（５０）と、前記ベース手段（４２）に取り付けられ、前記アーム手段（５０）をその第１及び第２の端（５２，６４）間の中間区域でかつ前記ベース手段（４２）に関して第１の角度位置で支持するように配置されている少なくともひとつのシャーピン（７２）とを包含し、前記少なくともひとつのシャーピン（７２）は、支持ブラケットアセンブリが前記構造物（６）に取り付けられて所定の下向きに向けられた荷重が前記アーム手段（５０）の第２の端（６４）で又はその近くで前記ケーブル（４）に直接又は間接的に加えられたときに、せん断するようにされ、これにより、前記アーム手段がその第１の端（５２）で下向きに枢動して前記ベース手段（４２）に関しての第２の角度位置をとるようにしたことを特徴とするアセンブリ。
【請求項１２】
請求項１１記載のアセンブリにおいて、前記少なくともひとつのシャーピン（７２）が複数の位置のうちの選択したひとつの位置で前記ベース手段（４２）に取り付けられ、これにより、前記ベース手段に関しての前記アーム手段（５０）の第１の角度位置を変えることができることを特徴とするアセンブリ。
【請求項１３】
請求項１１又は１２記載のアセンブリにおいて、前記ベース手段（４２）が、前記ブラケット手段（２４）に取り付けられるように配置されたベース部分（４４）とこのベース部分から垂下する一対の間隔を置いて離れているフランジ部分（４６，４８）とを有する実質的にＵ字形の形状であり、前記アーム手段（５０）の第１の端（５２）が前記フランジ部分に枢動可能に取り付けられていると共に、前記シャーピン（７２）が前記フランジ部分間の所定位置に取り付けられていることを特徴とするアセンブリ。
【請求項１４】
請求項１３記載のアセンブリにおいて、前記フランジ部分（４６，４８）に前記少なくともひとつのシャーピン（７２）を固定して受け入れる少なくとも一対の対向した協同穴（７４，７６）が設けられていることを特徴とするアセンブリ。
【請求項１５】
請求項１３又は１４記載のアセンブリにおいて、前記フランジ部分（４６，４８）に一対の対向した協同穴（５８，６０）が設けられ、これらの穴が前記アーム手段（５６）の第１の端（５２）をこれらの穴に枢動可能に取り付ける手段（５６）を受け入れることを特徴とするアセンブリ。
【請求項１６】
請求項１１〜１５のいずれか一項に記載のアセンブリにおいて、前記少なくともひとつのシャーピン（７２）が例えばナイロンのようなプラスチックス材料から成ることを特徴とするアセンブリ。
【請求項１７】
請求項１１〜１６のいずれか一項に記載のアセンブリにおいて、前記少なくともひとつのシャーピン（７２）がねじ付きナット（８０）を備えているねじ付きボルトの形であることを特徴とするアセンブリ。
【請求項１８】
請求項１１〜１７のいずれか一項に記載のアセンブリにおいて、前記アーム手段（５０）の第１の端（５２）がステンレス鋼から成ることができるピン又はボルト（５６）の手段により前記ベース手段（４２）に枢動可能に取り付けられていることを特徴とするアセンブリ。
【請求項１９】
請求項１８記載のアセンブリにおいて、前記ボルト（５６）がねじ付きであって、ねじ付きナット（６２）を備えていることを特徴とするアセンブリ。
【請求項２０】
請求項１８又は１９記載のアセンブリにおいて、前記アーム手段（５０）の第１の端（５２）に第１の中空の実質的に円筒形の部材（５４）が設けられ、この部材（５４）内を前記ピン又はボルト（５６）が通っていることを特徴とするアセンブリ。
【請求項２１】
請求項１１〜２０のいずれか一項に記載のアセンブリにおいて、前記アーム手段（５０）の第２の端（６４）に第２の中空の実質的に円筒形の部材（６６）が設けられ、この部材（６６）内を前記ケーブル（４）が通るように配置されていることを特徴とするアセンブリ。
【請求項２２】
請求項２１記載のアセンブリにおいて、前記第２の実質的に円筒形の部材（６６）はその対向する両端（６８，７０）の外側がテーパされて、取付け装置（８）が前記中間ブラケットアセンブリを通過することを容易にし、前記取付け装置（８）は前記ケーブル（４）に滑動可能に取り付けられていると共に前記構造物上で作業する人間から延びている命綱に接続されていることを特徴とするアセンブリ。
【請求項２３】
請求項１１〜２２のいずれか一項に記載のアセンブリにおいて、前記アーム手段（５０）はその第１及び第２の端（５０，６４）間の区域に第３の中空の実質的に円筒形の部材（７８）が設けられ、この部材（７８）内を前記シャーピン（７２）が通るように配置されていることを特徴とするアセンブリ。
【請求項２４】
請求項１１〜２３のいずれか一項に記載のアセンブリにおいて、前記アーム手段（５０）が実質的に矩形とすることができる板形状であることを特徴とするアセンブリ。
【発明の詳細な説明】
【技術分野】
【０００１】
本発明は、例えばビルディングのような構造物に対して使用するための水平命綱ケーブルに関し、より詳細には、水平命綱ケーブルの端部を取り付けるために及び／又は水平命綱をその両端間で支持するためにビルディングの屋根頂部に取り付けるのに適当な支持ブラケットアセンブリに関する。
【背景技術】
【０００２】
水平命綱ケーブルは、例えばビルディングのような構造物の高い所に取り付けられ、このような構造物上で作業する人間が落ちるのを防止するために配備されることは知られている。このような作業員は一般に装着帯（ハーネス）を着用し、この装着帯に命綱の一端が取り付けられ、命綱の他端は取付け装置の手段により水平命綱ケーブルに滑動可能に取り付けられる。
【０００３】
しかして、構造物に取り付けられてケーブルの端部が接続されるブラケットを設けることが必要とされる。また、ケーブルをその両端間の中間位置で支持するために構造物に取り付けられる中間ブラケットを設けることも必要とされる。
【０００４】
このようなブラケットをビルディングの屋根の頂部に取り付けることは知られている。しかしながら、このようなブラケットを屋根に取り付けるためには、ブラケットをビルディングの構造物に取り付けるための屋根を損壊する必要がある。このような損壊として、ケーブルの端部が接続されている又は中間ブラケットが接続されているブラケットを通すために屋根構造物にかなり大きな直径の穴をあけることがある。
【０００５】
また、ビルディング上で作業する人間が偶然にも落ちて、動荷重が水平命綱ケーブルに加わり、この荷重が屋根に取り付けられてケーブルを支持しているひとつ又はそれ以上のブラケットに伝達されたときにも、屋根構造物に損壊が生じることがある。
【発明の開示】
【発明が解決しようとする課題】
【０００６】
本発明の目的は、これらの問題を除去又は最小にすることにある。
【課題を解決するための手段】
【０００７】
本発明によれば、水平命綱ケーブル用支持ブラケットアセンブリにおいて、構造物に取り付けるベース板と、前記ベース板に取り付けられ、このベース板に関して摩擦制止されているが枢動できるブラケット手段と、前記ケーブルを前記ブラケット手段に取り付けるケーブル用保持手段とを包含し、前記ケーブルの動荷重が前記ブラケット手段の、摩擦制止に抗して第１の位置から第２の位置への枢動を生じせしめることを特徴とするアセンブリ、が提供される。
【０００８】
前記ケーブル用保持手段はばね式機構の手段により前記ブラケット手段に取り付けられ、これにより、前記ケーブルの動荷重が前記ケーブル用保持手段を前記ばね式機構のばね力に抗して前記第２の位置に引っ張るようにすることができる。前記ケーブル用保持手段は、ナットとボルトとのアセンブリ及び圧縮ばねの手段により前記ブラケット手段に取り付けることができる。
【０００９】
前記ブラケット手段は、前記第１の位置では前記ベース板上で実質的に直立し、そして前記第２の位置では前記ベース板に関して実質的に横に位置するようにすることができる。
【００１０】
前記ベース板に、前記ブラケット手段の下に横たわる横クロス部材を設けることができる。
【００１１】
前記ブラケット手段は、前記第２の位置で前記クロス部材と接触して位置するようにすることができる。
【００１２】
前記ベース板に一対の直立するラグを設け、これらのラグに前記ブラケット手段を取り付けるようにすることができる。
【００１３】
前記ブラケット手段は、ひとつ又はそれ以上の摩擦ワッシャを組み込んでいる一対のナット及びボルトアセンブリの手段により前記ベース板に取り付けることができる。
【００１４】
前記ケーブル用保持手段は端ブラケットとし、この端ブラケットに前記ケーブルの端部も取付け可能とすることができる。
【００１５】
選択的に、前記ケーブル用保持手段は前記ケーブルの両端間の中間で前記ケーブルを支持する中間ブラケットアセンブリとすることができる。
【００１６】
前記中間ブラケットアセンブリは、動荷重吸収手段を組み込み、前記ブラケット手段に取り付けられているベース手段と、第１の端及び第２の端を有し、前記第１の端にはこの第１の端を前記ベース手段に枢動可能に取り付ける手段が設けられていると共に、前記第２の端が前記ケーブルを受け入れるようにしているアーム手段と、前記ベース手段に取り付けられ、前記アーム手段をその第１及び第２の端間の中間区域でかつ前記ベース手段に関して第１の角度位置で支持するように配置されている少なくともひとつのシャーピンとを包含し、前記少なくともひとつのシャーピンは、支持ブラケットアセンブリが前記構造物に取り付けられて所定の下向きに向けられた荷重が前記アーム手段の第２の端で又はその近くで前記ケーブルに直接又は間接的に加えられたときに、せん断するようにされ、これにより、前記アーム手段がその第１の端で下向きに枢動して前記ベース手段に関しての第２の角度位置をとるようにすることができる。
【００１７】
前記少なくともひとつのシャーピンは複数の位置のうちの選択したひとつの位置で前記ベース手段に取り付けられ、これにより、前記ベース手段に関しての前記アーム手段の第１の角度位置を変えることができるようにすることができる。
【００１８】
前記ベース手段は、前記ブラケット手段に取り付けられるように配置されたベース部分とこのベース部分から垂下する一対の間隔を置いて離れているフランジ部分とを有する実質的にＵ字形の形状とし、前記アーム手段の第１の端が前記フランジ部分に枢動可能に取り付けられていると共に、前記シャーピンが前記フランジ部分間の所定位置に取り付けられるようにすることができる。
【００１９】
前記フランジ部分に、前記少なくともひとつのシャーピンを固定して受け入れる少なくとも一対の対向した協同穴を設けることができる。
【００２０】
前記フランジ部分に一対の対向した協同穴を設け、これらの穴が前記アーム手段の第１の端をこれらの穴に枢動可能に取り付ける手段を受け入れるようにすることができる。
【００２１】
前記少なくともひとつのシャーピンは、例えばナイロンのようなプラスチックス材料から成ることができる。
【００２２】
前記少なくともひとつのシャーピンは、ねじ付きナットを備えているねじ付きボルトの形とすることができる。
【００２３】
前記アーム手段の第１の端は、ステンレス鋼から成ることができるピン又はボルトの手段により前記ベース手段に枢動可能に取り付けることができる。前記ボルトは、ねじ付きであって、ねじ付きナットを備えることができる。前記アーム手段の第１の端に第１の中空の実質的に円筒形の部材を設け、この部材内を前記ピン又はボルトが通るようにすることができる。
【００２４】
前記アーム手段の第２の端に第２の中空の実質的に円筒形の部材を設け、この部材内を前記ケーブルが通るように配置することができる。前記第２の実質的に円筒形の部材はその対向する両端の外側がテーパされて、取付け装置が前記中間ブラケットアセンブリを通過することを容易にし、前記取付け装置は前記ケーブルに滑動可能に取り付けられていると共に前記構造物上で作業する人間から延びている命綱に接続されるようにすることができる。
【００２５】
前記アーム手段は、その第１及び第２の端間の区域に第３の中空の実質的に円筒形の部材を設け、この部材内を前記シャーピンが通るように配置することができる。
【００２６】
前記アーム手段は、実質的に矩形とすることができる板形状とすることができる。
【００２７】
前記ケーブルは、ステンレス鋼ワイヤ、又は例えばネオプレンのようなジャケット内に入れておくことができるバンドルの形とすることができる合成プラスチックスファイバから成ることができる。
【００２８】
前記構造物は、ビルディング、特にビルディングの屋根とすることができる。
【発明の効果】
【００２９】
本発明の支持ブラケットアセンブリは、このアセンブリに取り付けられている又はこのアセンブリにより支持されている水平命綱ケーブルに動荷重が加えられたときに、このアセンブリが取り付けられている例えばビルディングの屋根頂部のような構造物に損壊を与える危険を最小又は減少せしめる。すなわち、荷重が加えられると、ベース板に取り付けられているブラケット手段が、その摩擦制止に抗して、その第１の位置からその第２の位置に枢動し、これにより荷重の最初の吸収が生じる。そして、ブラケット手段がその第２の位置に到達すると、荷重はばね式機構により更に吸収される。
【００３０】
ブラケット手段の下に横たわるクロス部材をベース板に設けることにより、屋根構造物に損壊を与える危険は更に減少される。なぜなら、ブラケット手段はその第２の位置に枢動するとクロス部材と接触するからである。
【００３１】
もしシャーピンを組み込んでいる中間ブラケットアセンブリが提供される場合には、これは、加えられた動荷重の更なる吸収及び屋根構造物に損壊を与える危険の更なる減少を生じせしめる。
【発明を実施するための最良の形態】
【００３２】
本発明を良く理解し、また本発明が実際にどのようにして実施されるかを一層明確に示すために、以下添付図面を参照して本発明の実施例について詳述する。
【００３３】
図１及び図２を参照するに、支持ブラケットアセンブリ２は水平命綱ケーブル４の端部をビルディングの屋根６の頂部に取り付けるために設けられる。
【００３４】
ケーブル４は、ステンレス鋼ワイヤから成ることができるが、しかし、有益には、例えばネオプレンのようなジャケット内に適当に入れられている例えばポリエステルファイバのような合成プラスチックスファイバのバンドルから成る。
【００３５】
取付け装置８は、ケーブル４に沿って滑動するように設けられ、この取付け装置に取り付けられている命綱１０の一端を有する。命綱１０の他端は、ビルディング上で作業をしビルディングから落ちるのを防止される人間１２に、周知の形の適当な装着帯（図示せず）の手段により取り付けられる。
【００３６】
支持ブラケットアセンブリ２は、ストラップの形でかつ適当にはステンレス鋼から成る細長いベース板１４を有する。このベース板１４は、屋根母屋１６のラインに沿って、ボルト１８の手段により屋根６の頂部に取り付けられる。特に、図２に示されるように、横クロス部材２０がベース板１４に設けられている。このクロス部材２０は、ベース板１４に取り付けられるか、又はベース板１４と一体に形成される。このようなクロス部材２０も、また、ストラップの形でかつ適当にはステンレス鋼から成る。
【００３７】
ベース板１４には一対の直立する穴付きラグ２２が設けられ、これらのラグ２２には適当にはステンレス鋼の穴付き成形ブラケット手段２４がナット、ボルト及び摩擦ワッシャアセンブリ２６の手段により取り付けられている。ブラケット手段２４は、ナット、ボルト及び摩擦ワッシャアセンブリ２６の手段によりベース板１４に関して摩擦制止されているが枢動できるように配置されている。もし所望するならば、ベース板及びクロス部材の方向は交替させることができ、これにより、クロス部材は屋根母屋のラインに沿って延在し、又はラグ２２はクロス部材に追加して又は選択的に設けられて、ケーブルを屋根上で方向を変えることができるようにする。
【００３８】
保持手段２８は、ケーブル４のために設けられている。この保持手段２８は端取付けコネクタ３０を包含し、このコネクタにケーブル４の端部が取り付けられている。端取付けコネクタ３０は、成形ブラケット手段２４に、ナット付きボルト３２と圧縮ばね３４とを包含するばね式機構の手段により取り付けられている。
【００３９】
ナット、ボルト及び摩擦ワッシャアセンブリ２６の摩擦が存在する結果、ビルディングにプレテンション状態で取り付けられている水平命綱ケーブル４でもってブラケット手段２４は図４に示される及びまた図１、図２に示される直立の第１の位置３６に置かれる。もし事故が発生し、作業員１２が命綱１０によりケーブル４につながれているときにスリップした場合には、動荷重がケーブル４に及ぼされ、端取付けコネクタ３０に加えられる。このような動荷重は、ナット、ボルト及び摩擦ワッシャアセンブリ２６の摩擦制止に打ち勝つ。その結果、図４に示され及びまた図３に示されるように、ブラケット手段２４はナット、ボルト及び摩擦ワッシャアセンブリ２６のボルトまわりを枢動して第２の位置３８に倒れ、クロス部材２０と接触する。更に、この第２の位置３８において、引張り荷重である荷重が加えられたときには、図５に示されるように、ばね式機構のばね３４の圧縮が生じる。
【００４０】
ブラケット手段２４の、その摩擦制止に抗しての枢動は、動荷重の最初の吸収を生じせしめ、それから残りの動荷重はばね３４の圧縮により吸収される。これは、動荷重から生じる屋根６の構造物に損壊を与える危険を最小にする。クロス部材２０を設け、このクロス部材にブラケット手段２４が倒れるようにすることは、屋根の構造物に損壊を与えることを防止する。
【００４１】
図６は、図１の支持ブラケットアセンブリ２とは異なる支持ブラケットアセンブリ２Ａを示す。このブラケットアセンブリ２Ａにおいては、ケーブル４のための端取付けコネクタ３０の形の、図１の保持手段２８に代えて、中間ブラケットアセンブリ４０から成る保持手段が設けられている。この中間ブラケットアセンブリ４０は、ブラケット手段２４に、ナット及びボルトアセンブリ３２と圧縮ばね３４とを包含するばね式機構の手段により取り付けられ、水平命綱ケーブル４をその両端の中間位置で支持するように配置されている。
【００４２】
このブラケットアセンブリ２Ａの作用は、図１のブラケットアセンブリ２の作用と基本的に同じである。作業員１２が命綱１０によりケーブル４につながれているときにスリップした結果として動荷重がケーブル４に及ぼされたときには、この動荷重は中間ブラケットアセンブリ４０に加えられ、ナット、ボルト及び摩擦ワッシャアセンブリ２６の摩擦制止に打ち勝つ。その結果、ブラケット手段２４はナット、ボルト及び摩擦ワッシャアセンブリ２６のボルトまわりを枢動し、クロス部材２０と接触する位置に倒れ、これにより動荷重の多少の吸収が生じる。引張りの形で及ぼされる残りの荷重は、それから、ばね３４の圧縮により吸収される。
【００４３】
次に図７、図８及び図９を参照して説明するに、中間ブラケットアセンブリ４０はそれ自体に動荷重吸収手段を組み込んで構成されている。
【００４４】
この中間ブラケットアセンブリ４０は実質的にＵ字形の形状のベース手段４２を包含し、このベース手段４２はベース部分４４を有し、ナット及びボルトアセンブリ３２と圧縮ばね３４とを包含するばね式機構によりブラケット手段２４に取り付けられるように配設される。ベ−ス部分４４は、また、このベース部分から垂下する一対の間隔を置いて離れているフランジ部分４６，４８を有する。ベース手段４２は、適当には、ステンレス鋼から構成される。
【００４５】
実質的に矩形の板形状でかつ適当にはステンレス鋼のアーム手段５０は第１の端５２を有し、この第１の端５２には第１の中空の実質的に円筒形の部材５４が設けられている。この中空の円筒形部材５４は、第１の端５２に取り付けられるか、又は第１の端５２と一体に形成される。
【００４６】
ステンレス鋼製ボルト５６は、ベース手段４２のフランジ部分４６，４８の穴５８，６０及びアーム手段５０の第１の端５２の中空円筒形部材５４内を通っている。ボルト５６はねじ付きとされ、ねじ付きナット６２により所定位置に取り付けられる。
【００４７】
アーム手段５０は、ボルト５６のまわりを枢動可能な第１の端５２を備えて配設されている。
【００４８】
アーム手段５０は第２の端６４を有し、この第２の端６４には第２の中空実質的に円筒形の部材６６が設けられている。この中空円筒形部材６６は、第２の端６４に取り付けられるか、又は第２の端６４と一体に形成される。水平命綱ケーブル４は、部材６６内に入れられて通っている。部材６６は、テーパした対向する両端６８，７０を有し、命綱取付け装置８が部材６６を通過するのを容易にしている。
【００４９】
例えばナイロンのようなプラスチックス材料から成るシャーピン７２は、ベース手段４２のフランジ部分４６，４８の穴７４，７６及び第３の中空の実質的に円筒形の部材７８内を通っている。この中空円筒形部材７８は、アーム手段５０の第１及び第２の端５２，６４間の中間区域で、アーム手段５０に取り付けられるか、又はアーム手段５０と一体に形成される。シャーピン７２は、ねじ付きとされ、ねじ付きナット８０を受け入れる。
【００５０】
図８に示されるように、アーム手段５０はベース手段４２に関して第１の角度位置でシャーピン７２により取り付けられている。
【００５１】
もし動荷重がアーム手段５０の第２の端６４における部材６６で又はその近くでケーブル４に矢印８２により示される下向き方向に加えられた場合には、この動荷重はシャーピン７２のせん断又は破壊を生じせしめる。このような動荷重は、作業員１２が命綱１０及び取付け装置８によりケーブル４につながれているときに偶然に落ちることにより生じる。
【００５２】
シャーピン７２のせん断又は破壊が生じると、図４に示されるように、アーム手段５０はその第１の端５２でボルトまわりを枢動し、ベース手段４２に関しての第２の角度位置をとる。
【００５３】
シャーピン７２は、加えられた動荷重を吸収する働きをなし、更には、中間ブラケットアセンブリ４０を組み込んでいる支持ブラケットアセンブリ２Ａが取り付けられている屋根６（図６）の頂部に損壊が発生するのを防止する。
【００５４】
以上述べた支持ブラケットアセンブリ２Ａの構成によれば、したがって、動荷重の吸収は３つの段階で生じる。第１の段階では、シャーピン７２のせん断が生じる。第２の段階では、ブラケット手段２４がその摩擦制止に抗して枢動する。第３の段階では、ばね式機構３２，３４のばね３４の圧縮が生じる。
【００５５】
屋根６の頂部上における支持ブラケットアセンブリ２Ａの多様の取付け角度に適応するために、中間ブラケットアセンブリ４０はベース手段４２に関しての選択した第１の角度位置にシャーピン７２により取り付けることができる。これは、他の穴８４，８６をベース手段４２のフランジ部分４６に設けることにより成し遂げられ、これらの穴８４,８６はフランジ部分４８の対応する穴（図示せず）と協同し、シャーピン７２を選択的に受け入れることができる。
【００５６】
動荷重を受けた後、中間ブラケットアセンブリ４０は、新しいシャーピン７２を簡単に取り付けることにより次の作動のために容易に復旧することができる。
【００５７】
更に、このような動荷重の後に、支持ブラケットアセンブリ２，２Ａは、ブラケット手段２４をその直立する第１の位置３６（図４）に戻すことにより次の作動のために完全に復旧される。
【図面の簡単な説明】
【００５８】
【図１】本発明による支持ブラケットアセンブリの一実施例の背面図であり、このアセンブリは水平命綱ケーブルの端部に取り付けられている端ブラケットを組み込んでいる。
【図２】図１のアセンブリの平面図であり、そのブラケット手段が第１の位置にある状態を示している。
【図３】図１のアセンブリの平面図であり、そのブラケット手段が第２の位置に枢動している状態を示している。
【図４】図１のアセンブリの側面図であり、そのブラケット手段が第１の位置から第２の位置に枢動する状態を示している。
【図５】図１のアセンブリの平面図であり、そのブラケット手段が図３の第２の位置に枢動し、ばね式機構のばねが圧縮している状態を示している。
【図６】本発明による支持ブラケットアセンブリの他の実施例の背面図であり、このアセンブリは水平命綱ケーブルの両端部の中間で該ケーブルを支持する中間ブラケットアセンブリを組み込んでいる。
【図７】図６のアセンブリに組み込まれている中間ブラケットアセンブリを詳細に示す平面図である。
【図８】図７の中間ブラケットアセンブリの側面図である。
【図９】図７の中間ブラケットアセンブリの側面図であり、そのシャーピンのせん断後の状態を示している。
【国際公開パンフレット】
2004522478.tif 000003
2004522478.tif 000004
2004522478.tif 000005
2004522478.tif 000006
2004522478.tif 000007
2004522478.tif 000008
2004522478.tif 000009
2004522478.tif 000010
2004522478.tif 000011
2004522478.tif 000012
2004522478.tif 000013
2004522478.tif 000014
2004522478.tif 000015
2004522478.tif 000016
2004522478.tif 000017
2004522478.tif 000018
2004522478.tif 000019
2004522478.tif 000020
2004522478.tif 000021
2004522478.tif 000022
2004522478.tif 000023
2004522478.tif 000024
2004522478.tif 000025
2004522478.tif 000026
2004522478.tif 000027
2004522478.tif 000028
2004522478.tif 000029
2004522478.tif 000030
2004522478.tif 000031
2004522478.tif 000032
2004522478.tif 000033
【手続補正書】
【提出日】平成15年7月25日(2003.7.25)
【手続補正１】
【補正対象書類名】特許請求の範囲
【補正対象項目名】全文
【補正方法】変更
【補正の内容】
【特許請求の範囲】
【請求項１】
水平命綱ケーブル（４）用支持ブラケットアセンブリであって、構造物（６）に取り付けるベース板（１４）と、前記ベース板に取り付けられ、このベース板に関して摩擦制止されているが枢動できるブラケット手段（２４）と、前記ケーブル（４）を前記ブラケット手段（２４）に取り付けるケーブル用保持手段（２８，４０）とを包含するアセンブリにおいて、前記保持手段（２８，４０）がばね式機構（３２，３４）の手段により前記ブラケット手段（２４）に取り付けられ、前記ケーブル（４）の動荷重が、前記ブラケット手段（２４）の、摩擦制止に抗して第１の位置（３６）から第２の位置（３８）への枢動を生じせしめ、前記第２の位置では、前記ケーブル用保持手段（２８，４０）を前記ばね式機構（３２，３４）のばね力に抗して引張ることを特徴とするアセンブリ。
【請求項２】
請求項１記載のアセンブリにおいて、前記ケーブル用保持手段（２８，４０）がナットとボルト（３２）とのアセンブリ及び圧縮ばね（３４）の手段により前記ブラケット手段（２４）に取り付けられていることを特徴とするアセンブリ。
【請求項３】
請求項１又は２のいずれか一項に記載のアセンブリにおいて、前記ブラケット手段（２４）が、前記第１の位置では前記ベース板（１４）上で実質的に直立し、そして前記第２の位置では前記ベース板（１４）に関して実質的に横に位置することを特徴とするアセンブリ。
【請求項４】
請求項１〜３のいずれか一項に記載のアセンブリにおいて、前記ベース板（１４）に前記ブラケット手段（２４）の下に横たわる横クロス部材（２０）が設けられていることを特徴とするアセンブリ。
【請求項５】
請求項４記載のアセンブリにおいて、前記ブラケット手段（２４）が前記第２の位置（３８）で前記クロス部材（２０）と接触して位置させられることを特徴とするアセンブリ。
【請求項６】
請求項１〜５のいずれか一項に記載のアセンブリにおいて、前記ベース板（１４）に一対の直立するラグ（２２）が設けられ、これらのラグ（２２）に前記ブラケット手段（２４）が取り付けられていることを特徴とするアセンブリ。
【請求項７】
請求項１〜６のいずれか一項に記載のアセンブリにおいて、前記ブラケット手段（２４）がひとつ又はそれ以上の摩擦ワッシャを組み込んでいる一対のナット及びボルトアセンブリ（２６）の手段により前記ベース板（１４）に取り付けられていることを特徴とするアセンブリ。
【請求項８】
請求項１〜７のいずれか一項に記載のアセンブリにおいて、前記ケーブル用保持手段（２８）が端ブラケット（３０）であり、この端ブラケット（３０）に前記ケーブル（４）の端部が取付け可能であることを特徴とするアセンブリ。
【請求項９】
請求項１〜７のいずれか一項に記載のアセンブリにおいて、前記ケーブル用保持手段（４０）が前記ケーブル（４）の両端間の中間で前記ケーブル（４）を支持する中間ブラケットアセンブリであることを特徴とするアセンブリ。
【請求項１０】
請求項９記載のアセンブリにおいて、前記中間ブラケットアセンブリ（４０）が、動荷重吸収手段を組み込み、前記ブラケット手段（２４）に取り付けられているベース手段（４２）と、第１の端（５２）及び第２の端（６４）を有し、前記第１の端（５２）にはこの第１の端を前記ベース手段（４２）に枢動可能に取り付ける手段（５６）が設けられていると共に、前記第２の端（６４）が前記ケーブル（４）を受け入れるようにしているアーム手段（５０）と、前記ベース手段（４２）に取り付けられ、前記アーム手段（５０）をその第１及び第２の端（５２，６４）間の中間区域でかつ前記ベース手段（４２）に関して第１の角度位置で支持するように配置されている少なくともひとつのシャーピン（７２）とを包含し、前記少なくともひとつのシャーピン（７２）は、支持ブラケットアセンブリが前記構造物（６）に取り付けられて所定の下向きに向けられた荷重が前記アーム手段（５０）の第２の端（６４）で又はその近くで前記ケーブル（４）に直接又は間接的に加えられたときに、せん断するようにされ、これにより、前記アーム手段がその第１の端（５２）で下向きに枢動して前記ベース手段（４２）に関しての第２の角度位置をとるようにしたことを特徴とするアセンブリ。
【請求項１１】
請求項１０記載のアセンブリにおいて、前記少なくともひとつのシャーピン（７２）が複数の位置のうちの選択したひとつの位置で前記ベース手段（４２）に取り付けられ、これにより、前記ベース手段に関しての前記アーム手段（５０）の第１の角度位置を変えることができることを特徴とするアセンブリ。
【請求項１２】
請求項１０又は１１記載のアセンブリにおいて、前記ベース手段（４２）が、前記ブラケット手段（２４）に取り付けられるように配置されたベース部分（４４）とこのベース部分から垂下する一対の間隔を置いて離れているフランジ部分（４６，４８）とを有する実質的にＵ字形の形状であり、前記アーム手段（５０）の第１の端（５２）が前記フランジ部分に枢動可能に取り付けられていると共に、前記シャーピン（７２）が前記フランジ部分間の所定位置に取り付けられていることを特徴とするアセンブリ。
【請求項１３】
請求項１２記載のアセンブリにおいて、前記フランジ部分（４６，４８）に前記少なくともひとつのシャーピン（７２）を固定して受け入れる少なくとも一対の対向した協同穴（７４，７６）が設けられていることを特徴とするアセンブリ。
【請求項１４】
請求項１２又は１３記載のアセンブリにおいて、前記フランジ部分（４６，４８）に一対の対向した協同穴（５８，６０）が設けられ、これらの穴が前記アーム手段（５６）の第１の端（５２）をこれらの穴に枢動可能に取り付ける手段（５６）を受け入れることを特徴とするアセンブリ。
【請求項１５】
請求項１０〜１４のいずれか一項に記載のアセンブリにおいて、前記少なくともひとつのシャーピン（７２）が例えばナイロンのようなプラスチックス材料から成ることを特徴とするアセンブリ。
【請求項１６】
請求項１０〜１５のいずれか一項に記載のアセンブリにおいて、前記少なくともひとつのシャーピン（７２）がねじ付きナット（８０）を備えているねじ付きボルトの形であることを特徴とするアセンブリ。
【請求項１７】
請求項１０〜１６のいずれか一項に記載のアセンブリにおいて、前記アーム手段（５０）の第１の端（５２）がステンレス鋼から成ることができるピン又はボルト（５６）の手段により前記ベース手段（４２）に枢動可能に取り付けられていることを特徴とするアセンブリ。
【請求項１８】
請求項１７記載のアセンブリにおいて、前記ボルト（５６）がねじ付きであって、ねじ付きナット（６２）を備えていることを特徴とするアセンブリ。
【請求項１９】
請求項１７又は１８記載のアセンブリにおいて、前記アーム手段（５０）の第１の端（５２）に第１の中空の実質的に円筒形の部材（５４）が設けられ、この部材（５４）内を前記ピン又はボルト（５６）が通っていることを特徴とするアセンブリ。
【請求項２０】
請求項１０〜１９のいずれか一項に記載のアセンブリにおいて、前記アーム手段（５０）の第２の端（６４）に第２の中空の実質的に円筒形の部材（６６）が設けられ、この部材（６６）内を前記ケーブル（４）が通るように配置されていることを特徴とするアセンブリ。
【請求項２１】
請求項２０記載のアセンブリにおいて、前記第２の実質的に円筒形の部材（６６）はその対向する両端（６８，７０）の外側がテーパされて、取付け装置（８）が前記中間ブラケットアセンブリを通過することを容易にし、前記取付け装置（８）は前記ケーブル（４）に滑動可能に取り付けられていると共に前記構造物上で作業する人間から延びている命綱に接続されていることを特徴とするアセンブリ。
【請求項２２】
請求項１０〜２１のいずれか一項に記載のアセンブリにおいて、前記アーム手段（５０）はその第１及び第２の端（５０，６４）間の区域に第３の中空の実質的に円筒形の部材（７８）が設けられ、この部材（７８）内を前記シャーピン（７２）が通るように配置されていることを特徴とするアセンブリ。
【請求項２３】
請求項１０〜２２のいずれか一項に記載のアセンブリにおいて、前記アーム手段（５０）が実質的に矩形とすることができる板形状であることを特徴とするアセンブリ。
【手続補正２】
【補正対象書類名】明細書
【補正対象項目名】全文
【補正方法】変更
【補正の内容】
【発明の詳細な説明】
【技術分野】
【０００１】
本発明は、例えばビルディングのような構造物に対して使用するための水平命綱ケーブルに関し、より詳細には、水平命綱ケーブルの端部を取り付けるために及び／又は水平命綱をその両端間で支持するためにビルディングの屋根頂部に取り付けるのに適当な支持ブラケットアセンブリに関する。
【背景技術】
【０００２】
ＵＳ−Ａ−４  ６０７  ７２４は、作業員がとがった屋根から落ちるのを防止する安全装置であって、回転可能な支柱に枢動可能に接続されているブームを包含している安全装置を開示する。回転可能な支柱はサドルにより屋根上に支持され、サドルは回転可能な支柱を異なる勾配の種々のとがった屋根上に取り付けることができるように調節可能である。そして、つなぎ索が、その一端でブームに沿って滑動可能であるように接続され、またその他端で作業員の安全ベルト又は装着帯（ハーネス）の後部に接続可能とされ、これにより作業員がスリップ又は落ちた場合に動きを拘束して作業員を捕えるようにする。回転可能な支柱及び滑動可能なつなぎ索は、屋根上の構築物又は材料と衝突することなしに広い範囲の機動性を作業員に与える。つなぎ索の張力により制御可能なブレーキは、ブームに沿うつなぎ索の急激な滑動を拘束する。また、一対の衝撃吸収装置が設けられ、落ちた作業員が安全装置により捕えられた場合にブレーキを助けて揺れを減少せしめる。
【０００３】
水平命綱ケーブルは、例えばビルディングのような構造物の高い所に取り付けられ、このような構造物上で作業する人間が落ちるのを防止するために配備されることは知られている。このような作業員は一般に装着帯を着用し、この装着帯に命綱の一端が取り付けられ、命綱の他端は取付け装置の手段により水平命綱ケーブルに滑動可能に取り付けられる。
【０００４】
しかして、構造物に取り付けられてケーブルの端部が接続されるブラケットを設けることが必要とされる。また、ケーブルをその両端間の中間位置で支持するために構造物に取り付けられる中間ブラケットを設けることも必要とされる。
【０００５】
このようなブラケットをビルディングの屋根の頂部に取り付けることは知られている。しかしながら、このようなブラケットを屋根に取り付けるためには、ブラケットをビルディングの構造物に取り付けるための屋根を損壊する必要がある。このような損壊として、ケーブルの端部が接続されている又は中間ブラケットが接続されているブラケットを通すために屋根構造物にかなり大きな直径の穴をあけることがある。
【０００６】
また、ビルディング上で作業する人間が偶然にも落ちて、動荷重が水平命綱ケーブルに加わり、この荷重が屋根に取り付けられてケーブルを支持しているひとつ又はそれ以上のブラケットに伝達されたときにも、屋根構造物に損壊が生じることがある。
【発明の開示】
【発明が解決しようとする課題】
【０００７】
本発明の目的は、これらの問題を除去又は最小にすることにある。
【課題を解決するための手段】
【０００８】
本発明によれば、水平命綱ケーブル用支持ブラケットアセンブリであって、構造物に取り付けるベース板と、前記ベース板に取り付けられ、このベース板に関して摩擦制止されているが枢動できるブラケット手段と、前記ケーブルを前記ブラケット手段に取り付けるケーブル用保持手段とを包含するアセンブリにおいて、前記ケーブル用保持手段がばね式機構の手段により前記ブラケット手段に取り付けられ、前記ケーブルの動荷重が、前記ブラケット手段の、摩擦制止に抗して第１の位置から第２の位置への枢動を生じせしめ、前記第２の位置では、前記ケーブル用保持手段を前記ばね式機構のばね力に抗して引張ることを特徴とするアセンブリ、が提供される。
【０００９】
前記ケーブル用保持手段は、ナットとボルトとのアセンブリ及び圧縮ばねの手段により前記ブラケット手段に取り付けることができる。
【００１０】
前記ブラケット手段は、前記第１の位置では前記ベース板上で実質的に直立し、そして前記第２の位置では前記ベース板に関して実質的に横に位置するようにすることができる。
【００１１】
前記ベース板に、前記ブラケット手段の下に横たわる横クロス部材を設けることができる。
【００１２】
前記ブラケット手段は、前記第２の位置で前記クロス部材と接触して位置するようにすることができる。
【００１３】
前記ベース板に一対の直立するラグを設け、これらのラグに前記ブラケット手段を取り付けるようにすることができる。
【００１４】
前記ブラケット手段は、ひとつ又はそれ以上の摩擦ワッシャを組み込んでいる一対のナット及びボルトアセンブリの手段により前記ベース板に取り付けることができる。
【００１５】
前記ケーブル用保持手段は端ブラケットとし、この端ブラケットに前記ケーブルの端部も取付け可能とすることができる。
【００１６】
選択的に、前記ケーブル用保持手段は前記ケーブルの両端間の中間で前記ケーブルを支持する中間ブラケットアセンブリとすることができる。
【００１７】
前記中間ブラケットアセンブリは、動荷重吸収手段を組み込み、前記ブラケット手段に取り付けられているベース手段と、第１の端及び第２の端を有し、前記第１の端にはこの第１の端を前記ベース手段に枢動可能に取り付ける手段が設けられていると共に、前記第２の端が前記ケーブルを受け入れるようにしているアーム手段と、前記ベース手段に取り付けられ、前記アーム手段をその第１及び第２の端間の中間区域でかつ前記ベース手段に関して第１の角度位置で支持するように配置されている少なくともひとつのシャーピンとを包含し、前記少なくともひとつのシャーピンは、支持ブラケットアセンブリが前記構造物に取り付けられて所定の下向きに向けられた荷重が前記アーム手段の第２の端で又はその近くで前記ケーブルに直接又は間接的に加えられたときに、せん断するようにされ、これにより、前記アーム手段がその第１の端で下向きに枢動して前記ベース手段に関しての第２の角度位置をとるようにすることができる。
【００１８】
前記少なくともひとつのシャーピンは複数の位置のうちの選択したひとつの位置で前記ベース手段に取り付けられ、これにより、前記ベース手段に関しての前記アーム手段の第１の角度位置を変えることができるようにすることができる。
【００１９】
前記ベース手段は、前記ブラケット手段に取り付けられるように配置されたベース部分とこのベース部分から垂下する一対の間隔を置いて離れているフランジ部分とを有する実質的にＵ字形の形状とし、前記アーム手段の第１の端が前記フランジ部分に枢動可能に取り付けられていると共に、前記シャーピンが前記フランジ部分間の所定位置に取り付けられるようにすることができる。
【００２０】
前記フランジ部分に、前記少なくともひとつのシャーピンを固定して受け入れる少なくとも一対の対向した協同穴を設けることができる。
【００２１】
前記フランジ部分に一対の対向した協同穴を設け、これらの穴が前記アーム手段の第１の端をこれらの穴に枢動可能に取り付ける手段を受け入れるようにすることができる。
【００２２】
前記少なくともひとつのシャーピンは、例えばナイロンのようなプラスチックス材料から成ることができる。
【００２３】
前記少なくともひとつのシャーピンは、ねじ付きナットを備えているねじ付きボルトの形とすることができる。
【００２４】
前記アーム手段の第１の端は、ステンレス鋼から成ることができるピン又はボルトの手段により前記ベース手段に枢動可能に取り付けることができる。前記ボルトは、ねじ付きであって、ねじ付きナットを備えることができる。前記アーム手段の第１の端に第１の中空の実質的に円筒形の部材を設け、この部材内を前記ピン又はボルトが通るようにすることができる。
【００２５】
前記アーム手段の第２の端に第２の中空の実質的に円筒形の部材を設け、この部材内を前記ケーブルが通るように配置することができる。前記第２の実質的に円筒形の部材はその対向する両端の外側がテーパされて、取付け装置が前記中間ブラケットアセンブリを通過することを容易にし、前記取付け装置は前記ケーブルに滑動可能に取り付けられていると共に前記構造物上で作業する人間から延びている命綱に接続されるようにすることができる。
【００２６】
前記アーム手段は、その第１及び第２の端間の区域に第３の中空の実質的に円筒形の部材を設け、この部材内を前記シャーピンが通るように配置することができる。
【００２７】
前記アーム手段は、実質的に矩形とすることができる板形状とすることができる。
【００２８】
前記ケーブルは、ステンレス鋼ワイヤ、又は例えばネオプレンのようなジャケット内に入れておくことができるバンドルの形とすることができる合成プラスチックスファイバから成ることができる。
【００２９】
前記構造物は、ビルディング、特にビルディングの屋根とすることができる。
【発明の効果】
【００３０】
本発明の支持ブラケットアセンブリは、このアセンブリに取り付けられている又はこのアセンブリにより支持されている水平命綱ケーブルに動荷重が加えられたときに、このアセンブリが取り付けられている例えばビルディングの屋根頂部のような構造物に損壊を与える危険を最小又は減少せしめる。すなわち、荷重が加えられると、ベース板に取り付けられているブラケット手段が、その摩擦制止に抗して、その第１の位置からその第２の位置に枢動し、これにより荷重の最初の吸収が生じる。そして、ブラケット手段がその第２の位置に到達すると、荷重はばね式機構により更に吸収される。
【００３１】
ブラケット手段の下に横たわるクロス部材をベース板に設けることにより、屋根構造物に損壊を与える危険は更に減少される。なぜなら、ブラケット手段はその第２の位置に枢動するとクロス部材と接触するからである。
【００３２】
もしシャーピンを組み込んでいる中間ブラケットアセンブリが提供される場合には、これは、加えられた動荷重の更なる吸収及び屋根構造物に損壊を与える危険の更なる減少を生じせしめる。
【発明を実施するための最良の形態】
【００３３】
本発明を良く理解し、また本発明が実際にどのようにして実施されるかを一層明確に示すために、以下添付図面を参照して本発明の実施例について詳述する。
【００３４】
図１及び図２を参照するに、支持ブラケットアセンブリ２は水平命綱ケーブル４の端部をビルディングの屋根６の頂部に取り付けるために設けられる。
【００３５】
ケーブル４は、ステンレス鋼ワイヤから成ることができるが、しかし、有益には、例えばネオプレンのようなジャケット内に適当に入れられている例えばポリエステルファイバのような合成プラスチックスファイバのバンドルから成る。
【００３６】
取付け装置８は、ケーブル４に沿って滑動するように設けられ、この取付け装置に取り付けられている命綱１０の一端を有する。命綱１０の他端は、ビルディング上で作業をしビルディングから落ちるのを防止される人間１２に、周知の形の適当な装着帯（図示せず）の手段により取り付けられる。
【００３７】
支持ブラケットアセンブリ２は、ストラップの形でかつ適当にはステンレス鋼から成る細長いベース板１４を有する。このベース板１４は、屋根母屋１６のラインに沿って、ボルト１８の手段により屋根６の頂部に取り付けられる。特に、図２に示されるように、横クロス部材２０がベース板１４に設けられている。このクロス部材２０は、ベース板１４に取り付けられるか、又はベース板１４と一体に形成される。このようなクロス部材２０も、また、ストラップの形でかつ適当にはステンレス鋼から成る。
【００３８】
ベース板１４には一対の直立する穴付きラグ２２が設けられ、これらのラグ２２には適当にはステンレス鋼の穴付き成形ブラケット手段２４がナット、ボルト及び摩擦ワッシャアセンブリ２６の手段により取り付けられている。ブラケット手段２４は、ナット、ボルト及び摩擦ワッシャアセンブリ２６の手段によりベース板１４に関して摩擦制止されているが枢動できるように配置されている。もし所望するならば、ベース板及びクロス部材の方向は交替させることができ、これにより、クロス部材は屋根母屋のラインに沿って延在し、又はラグ２２はクロス部材に追加して又は選択的に設けられて、ケーブルを屋根上で方向を変えることができるようにする。
【００３９】
保持手段２８は、ケーブル４のために設けられている。この保持手段２８は端取付けコネクタ３０を包含し、このコネクタにケーブル４の端部が取り付けられている。端取付けコネクタ３０は、成形ブラケット手段２４に、ナット付きボルト３２と圧縮ばね３４とを包含するばね式機構の手段により取り付けられている。
【００４０】
ナット、ボルト及び摩擦ワッシャアセンブリ２６の摩擦が存在する結果、ビルディングにプレテンション状態で取り付けられている水平命綱ケーブル４でもってブラケット手段２４は図４に示される及びまた図１、図２に示される直立の第１の位置３６に置かれる。もし事故が発生し、作業員１２が命綱１０によりケーブル４につながれているときにスリップした場合には、動荷重がケーブル４に及ぼされ、端取付けコネクタ３０に加えられる。このような動荷重は、ナット、ボルト及び摩擦ワッシャアセンブリ２６の摩擦制止に打ち勝つ。その結果、図４に示され及びまた図３に示されるように、ブラケット手段２４はナット、ボルト及び摩擦ワッシャアセンブリ２６のボルトまわりを枢動して第２の位置３８に倒れ、クロス部材２０と接触する。更に、この第２の位置３８において、引張り荷重である荷重が加えられたときには、図５に示されるように、ばね式機構のばね３４の圧縮が生じる。
【００４１】
ブラケット手段２４の、その摩擦制止に抗しての枢動は、動荷重の最初の吸収を生じせしめ、それから残りの動荷重はばね３４の圧縮により吸収される。これは、動荷重から生じる屋根６の構造物に損壊を与える危険を最小にする。クロス部材２０を設け、このクロス部材にブラケット手段２４が倒れるようにすることは、屋根の構造物に損壊を与えることを防止する。
【００４２】
図６は、図１の支持ブラケットアセンブリ２とは異なる支持ブラケットアセンブリ２Ａを示す。このブラケットアセンブリ２Ａにおいては、ケーブル４のための端取付けコネクタ３０の形の、図１の保持手段２８に代えて、中間ブラケットアセンブリ４０から成る保持手段が設けられている。この中間ブラケットアセンブリ４０は、ブラケット手段２４に、ナット及びボルトアセンブリ３２と圧縮ばね３４とを包含するばね式機構の手段により取り付けられ、水平命綱ケーブル４をその両端の中間位置で支持するように配置されている。
【００４３】
このブラケットアセンブリ２Ａの作用は、図１のブラケットアセンブリ２の作用と基本的に同じである。作業員１２が命綱１０によりケーブル４につながれているときにスリップした結果として動荷重がケーブル４に及ぼされたときには、この動荷重は中間ブラケットアセンブリ４０に加えられ、ナット、ボルト及び摩擦ワッシャアセンブリ２６の摩擦制止に打ち勝つ。その結果、ブラケット手段２４はナット、ボルト及び摩擦ワッシャアセンブリ２６のボルトまわりを枢動し、クロス部材２０と接触する位置に倒れ、これにより動荷重の多少の吸収が生じる。引張りの形で及ぼされる残りの荷重は、それから、ばね３４の圧縮により吸収される。
【００４４】
次に図７、図８及び図９を参照して説明するに、中間ブラケットアセンブリ４０はそれ自体に動荷重吸収手段を組み込んで構成されている。
【００４５】
この中間ブラケットアセンブリ４０は実質的にＵ字形の形状のベース手段４２を包含し、このベース手段４２はベース部分４４を有し、ナット及びボルトアセンブリ３２と圧縮ばね３４とを包含するばね式機構によりブラケット手段２４に取り付けられるように配設される。ベ−ス部分４４は、また、このベース部分から垂下する一対の間隔を置いて離れているフランジ部分４６，４８を有する。ベース手段４２は、適当には、ステンレス鋼から構成される。
【００４６】
実質的に矩形の板形状でかつ適当にはステンレス鋼のアーム手段５０は第１の端５２を有し、この第１の端５２には第１の中空の実質的に円筒形の部材５４が設けられている。この中空の円筒形部材５４は、第１の端５２に取り付けられるか、又は第１の端５２と一体に形成される。
【００４７】
ステンレス鋼製ボルト５６は、ベース手段４２のフランジ部分４６，４８の穴５８，６０及びアーム手段５０の第１の端５２の中空円筒形部材５４内を通っている。ボルト５６はねじ付きとされ、ねじ付きナット６２により所定位置に取り付けられる。
【００４８】
アーム手段５０は、ボルト５６のまわりを枢動可能な第１の端５２を備えて配設されている。
【００４９】
アーム手段５０は第２の端６４を有し、この第２の端６４には第２の中空実質的に円筒形の部材６６が設けられている。この中空円筒形部材６６は、第２の端６４に取り付けられるか、又は第２の端６４と一体に形成される。水平命綱ケーブル４は、部材６６内に入れられて通っている。部材６６は、テーパした対向する両端６８，７０を有し、命綱取付け装置８が部材６６を通過するのを容易にしている。
【００５０】
例えばナイロンのようなプラスチックス材料から成るシャーピン７２は、ベース手段４２のフランジ部分４６，４８の穴７４，７６及び第３の中空の実質的に円筒形の部材７８内を通っている。この中空円筒形部材７８は、アーム手段５０の第１及び第２の端５２，６４間の中間区域で、アーム手段５０に取り付けられるか、又はアーム手段５０と一体に形成される。シャーピン７２は、ねじ付きとされ、ねじ付きナット８０を受け入れる。
【００５１】
図８に示されるように、アーム手段５０はベース手段４２に関して第１の角度位置でシャーピン７２により取り付けられている。
【００５２】
もし動荷重がアーム手段５０の第２の端６４における部材６６で又はその近くでケーブル４に矢印８２により示される下向き方向に加えられた場合には、この動荷重はシャーピン７２のせん断又は破壊を生じせしめる。このような動荷重は、作業員１２が命綱１０及び取付け装置８によりケーブル４につながれているときに偶然に落ちることにより生じる。
【００５３】
シャーピン７２のせん断又は破壊が生じると、図４に示されるように、アーム手段５０はその第１の端５２でボルトまわりを枢動し、ベース手段４２に関しての第２の角度位置をとる。
【００５４】
シャーピン７２は、加えられた動荷重を吸収する働きをなし、更には、中間ブラケットアセンブリ４０を組み込んでいる支持ブラケットアセンブリ２Ａが取り付けられている屋根６（図６）の頂部に損壊が発生するのを防止する。
【００５５】
以上述べた支持ブラケットアセンブリ２Ａの構成によれば、したがって、動荷重の吸収は３つの段階で生じる。第１の段階では、シャーピン７２のせん断が生じる。第２の段階では、ブラケット手段２４がその摩擦制止に抗して枢動する。第３の段階では、ばね式機構３２，３４のばね３４の圧縮が生じる。
【００５６】
屋根６の頂部上における支持ブラケットアセンブリ２Ａの多様の取付け角度に適応するために、中間ブラケットアセンブリ４０はベース手段４２に関しての選択した第１の角度位置にシャーピン７２により取り付けることができる。これは、他の穴８４，８６をベース手段４２のフランジ部分４６に設けることにより成し遂げられ、これらの穴８４,８６はフランジ部分４８の対応する穴（図示せず）と協同し、シャーピン７２を選択的に受け入れることができる。
【００５７】
動荷重を受けた後、中間ブラケットアセンブリ４０は、新しいシャーピン７２を簡単に取り付けることにより次の作動のために容易に復旧することができる。
【００５８】
更に、このような動荷重の後に、支持ブラケットアセンブリ２，２Ａは、ブラケット手段２４をその直立する第１の位置３６（図４）に戻すことにより次の作動のために完全に復旧される。
【図面の簡単な説明】
【００５９】
【図１】本発明による支持ブラケットアセンブリの一実施例の背面図であり、このアセンブリは水平命綱ケーブルの端部に取り付けられている端ブラケットを組み込んでいる。
【図２】図１のアセンブリの平面図であり、そのブラケット手段が第１の位置にある状態を示している。
【図３】図１のアセンブリの平面図であり、そのブラケット手段が第２の位置に枢動している状態を示している。
【図４】図１のアセンブリの側面図であり、そのブラケット手段が第１の位置から第２の位置に枢動する状態を示している。
【図５】図１のアセンブリの平面図であり、そのブラケット手段が図３の第２の位置に枢動し、ばね式機構のばねが圧縮している状態を示している。
【図６】本発明による支持ブラケットアセンブリの他の実施例の背面図であり、このアセンブリは水平命綱ケーブルの両端部の中間で該ケーブルを支持する中間ブラケットアセンブリを組み込んでいる。
【図７】図６のアセンブリに組み込まれている中間ブラケットアセンブリを詳細に示す平面図である。
【図８】図７の中間ブラケットアセンブリの側面図である。
【図９】図７の中間ブラケットアセンブリの側面図であり、そのシャーピンのせん断後の状態を示している。




【国際調査報告】
2004522478.tif 000034
2004522478.tif 000035